(57)【特許請求の範囲】
【請求項１】
織り目が細かくかつ剛性が少し強い表布地と、
多数の小孔を有し、左縁部、底縁部及び右縁部をそれぞれ上記表布地の左縁部、底縁部及び右縁部と接合されていることにより、上記表布地との間に、上方部に開口を有する袋空間を形成し得ると共に、剛性が少し弱い裏網地と
を有する収容具本体と、
上記袋空間に小動物を入れたとき、上記収容具本体の外側から結ぶことにより、上記小動物の周囲に所望の空間を形成する空間調整用ひもと
を具えることを特徴とする小動物収容具。
【請求項２】
上記裏網地の内側底部に、上記表布地と接合されて、小動物の寝床を形成する中張り布地
を具えることを特徴とする請求項１に記載の小動物収容具。
【発明の詳細な説明】
【０００１】
【発明の属する技術分野】
本発明は小動物収容具に関し、特に小動物を獣医のところに連れて行く場合に用いて好適なものである。
【０００２】
【従来の技術】
小動物、例えばペットとして飼っている猫を、獣医のところに連れて行く場合、一般に、篭状の搬送ケース（例えばキャリーバッグ）に猫を入れて持ち運ぶような方法が用いられている。
【０００３】
【発明が解決しようとする課題】
ところが、このような方法によると、猫を自宅から獣医のところに連れて行く際に、猫が搬送ケースに入るとき又は出るときに暴れたり、搬送ケースを持って運んでいる間にケース内で暴れたりすると、搬送しようとする人や獣医などが爪で引っ掻かれて傷を負ったり、猫が搬送ケースに鼻をすり付けて鼻に傷を負ったりするような不都合がある。
【０００４】
本発明は以上の点を考慮してなれたもので、搬送者や獣医、並びに搬送される小動物が傷を負うようなおそれがなくしかも簡便に小動物を取り扱うことができるようにした小動物収容具を提案しようとするものである。
【０００５】
【課題を解決するための手段】
かかる課題を解決するため本発明においては、織り目が細かくかつ剛性が少し大きい表布地２と、多数の小孔を有し、左縁部、底縁部及び右縁部をそれぞれ表布地２の左縁部、底縁部及び右縁部と接合されていることにより、表布地２との間に、上方部に開口４Ｕを有する袋空間を形成し得ると共に、剛性が少し小さい裏網地３とを有する収容具本体４と、袋空間に小動物を入れたとき、収容具本体４の外側から結ぶことにより、小動物の周囲に所望の空間を形成する空間調整用ひも１２Ｌ、１２Ｒとを設けるようにする。
【０００６】
空間調整用ひも１２Ｌ、１２Ｒを結ばれない状態で、表布地及び裏網地３を外側に折り返すように平らに拡げた開口４Ｕに小動物を入れたとき、小動物は、織り目が細かくかつ剛性が少し大きい表布地２及び中張り布地１３に座った状態になる。この状態において表布地２及び裏網地３を上方に引き上げるように戻して行くことにより、小動物は裏網地３の小孔を通じて外を見ながら不安なく袋空間の底部に座ることができ、この状態で収容具本体４の外側から空間調整用ひも１２Ｌ、１２Ｒを結ぶことにより、座ったり小動物の周囲に強制的に体を締めつけることなく、しかも暴れることを許さないような所望の空間を形成することができ、その結果小動物を安全かつ安定に小動物収容具１の内部に収容することができる。
【０００７】
【発明の実施の形態】
以下図面について、本発明の一実施の形態を詳述する。
【０００８】
図１及び図２において、１は全体として小動物収容具を示し、ほぼ長方形状の表布地２及び裏網地３が左縁部１Ｌ及び右縁部１Ｒと、底縁部１Ｄとにおいて互いに縫い合わされ、これにより上縁部に開口４Ｕを有する袋状の収容具本体４が形成されている。
【０００９】
かくして収容具本体４は、開口４Ｕを開いた状態で小動物、例えば猫を出し入れすることができる。
【００１０】
この実施の形態の場合、表布地２は、編み目が細かく、かつ剛性が少し大きい（腰がある）柔らかい布地（例えばポリエステル）によって構成され、かくして表布地２が布地として少し大きい剛性をもっていることにより、猫を出し入れしたり、内部に収容したりする状態において、袋としての機能を安定性良く発揮できるように（余りぐにゃぐにゃにならないように）構成されている。
【００１１】
裏網地３は不織布でなり、シート状ポリエステル材料に穴抜き加工をし、これにより、直径３〔mm〕程度の多数の小孔を例えばちどり状に隣接するように配列することにより、全体として表布地２より剛性が小さい網目状の（従ってぐにゃぐにゃになり易い）布地を形成している。
【００１２】
この実施の形態の場合、表布地２の開口４Ｕ近傍部分にファスナ１１が設けられ、ファスナ１１によって表布地２の上端部を表側に折り返された裏網地３の上端部との間を開閉できるようになされている。
【００１３】
また、この実施の形態の場合、収容具本体４のファスナ１１近傍位置の横幅は約31〔cm〕程度に少し狭い寸法に選定されているのに対して、収容具本体４の底縁部１Ｄ近傍は横幅が45〔cm〕程度に少し広い寸法に選定され、これにより収容具本体４は内部に猫を収容したとき、その袋空間が全体として下ぶくれになるように、下方部分が上方部分より広い空間をもつように構成されており、その結果猫が収容具本体４内に入れられたとき、比較的狭い開口４Ｕより広めの底部空間に落ち着いて座ることができるようになされている。
【００１４】
また、この実施の形態の場合、収容具本体４の左縁部１Ｌ及び底縁部１Ｄ間の隅部と、右縁部１Ｒ及び底縁部１Ｄ間の隅部に、半径約13〔cm〕程度のゆったりとした丸みが形成され、これにより収容具本体４内に猫が座ったとき、猫の周りに無駄な空間をなくす（収容具本体４がだぶだぶと余らないようにする）ことにより、居心地を良くするようになされている。
【００１５】
収容具本体４の上端部から下端部に至るまでの間において、上端部から約 1/3の位置のおいて、収容具本体４の左縁部１Ｌ及び右縁部１Ｒに空間調整用ひも１２Ｌ及び１２Ｒが取り付けられている。
【００１６】
この空間調整用ひも１２Ｌ及び１２Ｒは、収容具本体４内に猫が入れられたとき、一対のひも１２Ｌ及び１２Ｒを中にいる猫の大きさに合わせて結ぶ長さを調整することにより、猫の頭ないし背中の上方に適正な空間を形成できるようにし、これにより猫の居心地を良くするようになされている。
【００１７】
この実施の形態の場合、裏網地３の底部分には、底縁部１Ｄから上下方向に所定の幅（例えば14〔cm〕の幅）の中張り布地１３が左縁部１Ｌから右縁部１Ｒに亘って設けられている。
【００１８】
この中張り布地１３は表布地２と同じ材質の布地を用いて、表布地２の左縁部１Ｌから底縁部１Ｄを通って右縁部１Ｒまで表布地２及び裏網地３に縫い合わされている。
【００１９】
かくして中張り布地１３は、収容具本体４に猫が入れられたとき、収容具本体４の底面位置において、表布地２の底部と共に、編み目が細かくかつ腰がある布地上に猫が居心地良く座ることができる寝床を形成する
以上の構成において、例えば飼い主が猫を獣医のところに連れて行く場合には、飼い主は収容具本体４の上方部分を把持してファスナ１１を開くと共に、開口４Ｕ部分の表布地２及び裏網地３を把持して開口４Ｕをほぼ平面状に拡げた状態にする。
【００２０】
このとき、剛性が少し大きく（従って腰がある）表布地２の開口部分を横一杯に拡げた状態で、剛性が少し小さい（従ってぐにゃぐにゃしている）裏網地３を前後方向に拡げることにより、開口４Ｕを、猫が楽に入ることができるぐらいの大きさに拡がる。
【００２１】
この状態において、猫をから収容具本体４の底部に置いて、表布地２及び裏網地３を上方に引き上げて行くと、猫を袋空間内に入れた状態が得られる。
【００２２】
このとき、裏側に裏網地３があっても、猫を表布地２上に座らせているので、猫の爪が裏網地３の網の目に引っ掛かることなく表布地２及び裏網地３を引き上げて行くことができる。
【００２３】
この状態において、猫は、細かくかつ少し剛性の大きい表布地２ないし中張り布地１３上に座っているので、爪を裏網地３に引っかけることなく、しかも安定感良く、袋空間の底に居心地良く座っていることができる。
【００２４】
かくして収容具本体４の底部に座らせた後、図３に示すように、空間調整用ひも１２Ｌ及び１２Ｒを猫１５の頭ないし背中の上の空間に合わせるように軽く結ぶ。
【００２５】
このとき猫の頭ないし背中の上には、表布地２が剛性をもっていることによって、空間調整用ひも１２Ｌ及び１２Ｒの結ぶ長さを必要に応じて任意に選定することにより、猫の頭や背中を強く押圧するようにはならないような、適正な空間を保つことができる。
【００２６】
実験によれば、このようなとき、猫は強制されずに好きな狭い空間に入ることができると共に、裏網地３を通して外の様子も分かるので、猫が安心した様子で、収容具本体４の底部に丸く寝ていることを確認できた。
【００２７】
このような状態になるまでの間に、たとえ猫が暴れたとしても、猫の顔には剛性が小さなぐにゃぐにゃした軟らかい裏網地３が触るだけであるので、猫が鼻を擦りむくような事態を生じさせないようにできる。
【００２８】
またこのとき猫が爪で裏網地３を引っ掻いたとしても、裏網地３の孔が３〔mm〕程度であれば、当該孔に爪や指が深く引っ掛かることがないので、猫にダメージを与えないで底の寝床に丸く固まらせることができる。
【００２９】
かくして丸く固まった猫を抱いたり、篭状のキャリーバックに入れたりして、獣医のところにまで容易に運ぶことができる。
【００３０】
因に、このように適正な大きさに丸く固まった状態で猫を搬送している間に猫が暴れようとしたとしても、ひも１２Ｌ及び１２Ｒによって収容具本体４の開口４Ｕが狭くなっているので、猫が収容具本体４から飛び出すようなおそれはない。
【００３１】
このようにして収容具本体４に入れた猫を獣医のところに連れて行ったとき、獣医は裏網地３を通して猫の様子を見たり、柔らかい裏網地３を介して猫に触れることにより反応を確かめたり、結ばれていたひも１２Ｌ及び１２Ｒをほどいて開口４Ｕから手を収容具本体４内に入れて直接猫に触れてその反応を確かめたりすることができる。
【００３２】
さらに、必要な場合にはひも１２Ｌ及び１２Ｒをほどかない状態で、又は解いた状態で、獣医が裏網地３の小孔を通して外から注射をするような治療をすることもできる。
【００３３】
このような診察や治療をする際に、たとえ猫が暴れても、裏網地３によって動きを制限できることにより、飼い主や獣医が傷を負うようなおそれはない。
【００３４】
以上の構成によれば、表布地２を利用して猫の出し入れを容易になし得ると共に、収容具本体４に入った猫の頭上に適切な空間を作ることができ、また裏網地３によって、猫を不安がらせずに運んだり、観察や治療をしたりすることができる。
【００３５】
なお、上述の実施の形態においては、収容具本体４の底部において、裏網地３の内側の中張り布地１３を設けるようにした場合について述べたが、この中張り布地１３を省略しても、表布地２を利用して安定に猫を座らせたり、猫の周囲に適正な空間を作ることができるといった上述の場合と同様の効果を得ることができる。
【００３６】
上述の実施の形態においては、収容具本体４の開口４Ｕをファスナ１１によって開閉できるようにしたが、これに代えスナップやボタンなどの開閉部材を用いるようにしても良い。
【００３７】
【発明の効果】
上述のように本発明によれば、表布地及び裏網地によって小動物を入れる空間を作ると共に、空間調整用ひもを締めることによって袋空間内に入った小動物の周囲に、当該小動物が居心地良く座っていられると共に小動物の暴れる動作を抑えるような適正な空間を作ることができることにより、小動物を安全に収容して運んだり治療する等の取り扱い処理をすることができる。
【図面の簡単な説明】
【図１】本発明による小動物収容具を示す正面図である。
【図２】図１の背面図である。
【図３】小動物収容具の使用状態示す斜視図である。
【符号の説明】
１……小動物収容具、２……表布地、３……裏網地、４……収容具本体、４Ｕ……開口、１Ｌ……左縁部、１Ｒ……右縁部、１Ｄ……底縁部、１１……ファスナ、１２Ｌ、１２Ｒ……空間調整用ひも、１３……中張り布地。
【図１】
0003740567.tif 000002
【図２】
0003740567.tif 000003
【図３】
0003740567.tif 000004